(57)【要約】【課題】本発明の課題は、携帯端末装置の通信負担を軽減する電子地図配布システムを提供することである。【解決手段】地図サーバ装置が、属性情報を含む地図ファイルを記憶する記憶手段と、サービス開始要求を受け付けて、提供可能な地図ファイルの属性情報を取得して返信する属性情報返信手段と、選択された属性情報を受信して、これと一致する属性情報を持つ地図ファイルを選択する地図ファイル選択手段と、前記選択された地図ファイルから配布ファイルを作成して送信する配布ファイル送信手段と、を備えて、地図選択装置が、サービス開始要求を送信して、前記取得された属性情報を受信して、これを表示する地図選択画面表示手段と、前記表示された属性情報の中から選択された属性情報を、受け付けて、送信する選択属性送信手段と、配布ファイルを受信して、利用者携帯端末装置に転送する配布ファイル受信手段と、を備える電子地図配布システムである。【選択図】図１
2007212736.tif 000002
【特許請求の範囲】
【請求項１】
地図サーバ装置と地図選択装置と利用者携帯端末装置とをネットワーク接続して構成される電子地図配布システムであって、
前記地図サーバ装置は、
属性情報を含む地図ファイルを記憶する記憶手段と、
サービス開始要求を受け付けて、提供可能な地図ファイルの属性情報を取得して、返信する属性情報返信手段と、
選択された属性情報を、受信する選択属性受信手段と、
前記選択された属性情報を取得して、これをキーとして、地図ファイルの属性情報を参照して、前記キーと一致する属性情報の地図ファイルを選択する地図ファイル選択手段と、
前記選択された地図ファイルから配布ファイルを作成して送信する配布ファイル送信手段と、
を備えたサーバ装置であって、
前記地図選択装置は、
サービス開始要求を送信して、前記取得された属性情報を受信して、この属性情報を表示する地図選択画面表示手段と、
前記表示された属性情報の中から選択された属性情報を、受け付ける選択属性受付手段と、
前記選択された属性情報を取得して、送信する選択属性送信手段と、
配布ファイルを受信して、前記利用者携帯端末装置に転送する配布ファイル受信手段と、
選択装置である、
ことを特徴とする電子地図配布システム。
【請求項２】
前記地図サーバ装置は、
前記選択された地図ファイルのファイル容量情報を取得して、送信するファイル容量情報送信手段と、
前記配布ファイル送信手段が、配布ファイル送信要求を受け付けて、前記選択された地図ファイルから配布ファイルを作成して送信する、
サーバ装置であって、
前記地図選択装置は、
前記記憶手段が、地図分類情報と地図名称情報を有する属性情報と、ファイル容量情報と、を含む地図ファイルを記憶して、
前記地図選択画面表示手段が、サービス開始要求を送信して、前記取得された属性情報を受信して、この属性情報の地図分類情報と地図名称情報を表示する、あるいは、選択された地図ファイルのファイル容量情報を受信して、表示して、
前記配布ファイル受信手段が、配布ファイル送信要求を発行して、配布ファイルを受信して、前記利用者携帯端末装置に転送する、
選択装置である、
ことを特徴とする、請求項１に記載の電子地図配布システム。
【請求項３】
地図分類情報や地図名称情報を有する属性情報と、ファイル容量情報と、を含む地図ファイルと、を記憶する記憶手段と、
サービス開始要求を送信して、地図ファイルの属性情報を、受信して、表示する、あるいは、選択された地図ファイルのファイル容量情報を受信して、表示する地図選択画面表示手段と、
前記表示された地図ファイルの属性情報の中から、選択された属性情報を受け付ける選択属性受付手段と、
前記選択された属性情報を取得して、送信する選択属性送信手段と、
配布ファイル送信要求を発行して、配布ファイルを受信して、前記利用者携帯端末装置に転送する配布ファイル受信手段と、
を備えることを特徴とする地図選択装置。
【請求項４】
地図分類情報と地図名称情報とを有する属性情報と、ファイル容量情報と、を含む地図ファイルと、を記憶する記憶手段と、
地図分類情報を含むサービス開始要求を受け付けて、属性情報送信要求の地図分類情報をキーにして、地図ファイルの地図分類情報を参照して、前記キーと一致する地図分類情報の属性情報を取得して、返信する属性情報返信手段と、
選択された属性情報を、受信する選択属性受信手段と、
前記選択された属性情報を取得して、これをキーとして、地図ファイルの属性情報を参照して、前記キーと一致する属性情報の地図ファイルを選択する地図ファイル選択手段と、
前記選択された地図ファイルのファイル容量情報を取得して、送信するファイル容量情報送信手段と、
配布ファイル送信要求を受け付けて、前記選択された地図ファイルから配布ファイルを作成して送信する配布ファイル送信手段と、
を備えることを特徴とする地図サーバ装置。
【請求項５】
属性情報を含む地図ファイルを利用して、配布ファイルを作成して、これを利用者携帯端末装置に配布する電子地図配布方法であって、
サービス開始要求を受け付けて、提供可能な地図ファイルの属性情報を取得して、表示する地図選択画面表示ステップと、
表示された属性情報の中から選択された属性情報を受け付ける選択属性受付ステップと、
前記選択された属性情報をキーにして、地図ファイルの属性情報を参照して、前記キーと一致する属性情報の地図ファイルを選択する地図ファイル選択ステップと、
選択された地図ファイルから配布ファイルを作成して、配布する配布ファイル作成ステップと、
を含んだ手順でなされることを特徴とする電子地図配布方法。
【請求項６】
地図分類情報と地図名称情報を有する属性情報とファイル容量情報とを含む地図ファイルを利用して、配布ファイルを作成して、これを利用者携帯端末装置に配布する電子地図配布方法であって、
選択された地図ファイルのファイル容量情報を表示するファイル容量情報表示ステップと、
配布ファイル配布要求を発行する配布ファイル送信要求ステップと、
を含んだ手順でなされて、
前記配布ファイル作成ステップが、配布ファイル配布要求を受け付けて、選択された地図ファイルから配布ファイルを作成して、配布する、
ことを特徴とする請求項５に記載の電子地図配布方法。
【請求項７】
コンピュータに組込むことによって、コンピュータを請求項１または、請求項２に記載の電子地図配布システム、または、請求項３に記載の地図選択装置、または、請求項４に記載の地図サーバ装置として動作させるコンピュータプログラム。
【請求項８】
請求項７に記載のコンピュータプログラムを記録したコンピュータ読取り可能な記録媒体。
【発明の詳細な説明】
【技術分野】
【０００１】
本発明は、携帯端末装置に、電子地図を配布するシステムに関するものである。
【０００２】
従来から、地点間の移動経路案内や、施設（博物館美術館や飲食店や）への誘導に、ナビゲーション装置が利用されている。ここで、ナビゲーション装置は、地図データと、道路データと、住所データと、ランドマークデータなどを用いて、現在位置から、目的地への誘導を行う。ナビゲーション装置は、地図データから現在地の地図画像を作成して画面に図示して、目的地の住所や目的地の地図のランドマークを用いて目的地を設定して、道路データを用いたルート案内を行う。また、ナビゲーション装置は、地図画像や住所やランドマークを用いて目的地周辺の案内を行う。
【背景技術】
【０００３】
たとえば、特許文献１では、利用者の携帯端末装置から現在位置情報を取得して、利用者がいる周辺の地図画像データを作成して、携帯端末装置に配信する技術が開示されている。（従来技術１）
【特許文献１】特開２００２−７３６２１号公報（５〜６ページ、図６、８、１３，１４）
【発明の開示】
【発明が解決しようとする課題】
【０００４】
ところで、従来技術１では、利用者が地図を利用する都度に、地図配信装置は、携帯端末装置から現在位置情報を受信して、地図データから現在位置の地図画像データを作成して、返信する必要がある。そのために、表示を更新するたびに、地図画像データを作成する時間と、それを配信する通信時間を要するために、受信の待ち時間を要するという欠点があった。また、地図画像データを受信するたびに、通信費用がかかるという問題点もあった。
【０００５】
本発明はこのような従来技術を考慮してなされたものであって、本発明の課題は、携帯端末装置の通信負担を軽減する電子地図配布システムを提供することである。
【課題を解決するための手段】
【０００６】
本発明は、以下のような解決手段により、前記課題を解決する。すなわち、請求項１の発明は、地図サーバ装置と地図選択装置と利用者携帯端末装置とをネットワーク接続して構成される電子地図配布システムであって、前記地図サーバ装置は、属性情報を含む地図ファイルを記憶する記憶手段と、サービス開始要求を受け付けて、提供可能な地図ファイルの属性情報を取得して、返信する属性情報返信手段と、選択された属性情報を、受信する選択属性受信手段と、前記選択された属性情報を取得して、これをキーとして、地図ファイルの属性情報を参照して、前記キーと一致する属性情報の地図ファイルを選択する地図ファイル選択手段と、前記選択された地図ファイルから配布ファイルを作成して送信する配布ファイル送信手段と、を備えたサーバ装置であって、前記地図選択装置は、サービス開始要求を送信して、前記取得された属性情報を受信して、この属性情報を表示する地図選択画面表示手段と、前記表示された属性情報の中から選択された属性情報を、受け付ける選択属性受付手段と、前記選択された属性情報を取得して、送信する選択属性送信手段と、配布ファイルを受信して、前記利用者携帯端末装置に転送する配布ファイル受信手段と、選択装置である、ことを特徴とする電子地図配布システムである。
【０００７】
従って、利用者携帯端末装置は、利用する地図ファイルを保持しているので、地図を表示させるときに、地図サーバ装置と通信する必要がない。
【０００８】
請求項２の発明は、前記地図サーバ装置は、前記選択された地図ファイルのファイル容量情報を取得して、送信するファイル容量情報送信手段と、前記配布ファイル送信手段が、配布ファイル送信要求を受け付けて、前記選択された地図ファイルから配布ファイルを作成して送信する、サーバ装置であって、前記地図選択装置は、前記記憶手段が、地図分類情報と地図名称情報を有する属性情報と、ファイル容量情報と、を含む地図ファイルを記憶して、前記地図選択画面表示手段が、サービス開始要求を送信して、前記取得された属性情報を受信して、この属性情報の地図分類情報と地図名称情報を表示する、あるいは、選択された地図ファイルのファイル容量情報を受信して、表示して、前記配布ファイル受信手段が、配布ファイル送信要求を発行して、配布ファイルを受信して、前記利用者携帯端末装置に転送する、選択装置である、ことを特徴とする、請求項１に記載の電子地図配布システムである。
【０００９】
請求項３の発明は、地図分類情報や地図名称情報を有する属性情報と、ファイル容量情報と、を含む地図ファイルと、を記憶する記憶手段と、サービス開始要求を送信して、地図ファイルの属性情報を、受信して、表示する、あるいは、選択された地図ファイルのファイル容量情報を受信して、表示する地図選択画面表示手段と、前記表示された地図ファイルの属性情報の中から、選択された属性情報を受け付ける選択属性受付手段と、前記選択された属性情報を取得して、送信する選択属性送信手段と、配布ファイル送信要求を発行して、配布ファイルを受信して、前記利用者携帯端末装置に転送する配布ファイル受信手段と、を備えることを特徴とする地図選択装置である。
【００１０】
請求項４の発明は、地図分類情報と地図名称情報とを有する属性情報と、ファイル容量情報と、を含む地図ファイルと、を記憶する記憶手段と、地図分類情報を含むサービス開始要求を受け付けて、属性情報送信要求の地図分類情報をキーにして、地図ファイルの地図分類情報を参照して、前記キーと一致する地図分類情報の属性情報を取得して、返信する属性情報返信手段と、選択された属性情報を、受信する選択属性受信手段と、前記選択された属性情報を取得して、これをキーとして、地図ファイルの属性情報を参照して、前記キーと一致する属性情報の地図ファイルを選択する地図ファイル選択手段と、前記選択された地図ファイルのファイル容量情報を取得して、送信するファイル容量情報送信手段と、配布ファイル送信要求を受け付けて、前記選択された地図ファイルから配布ファイルを作成して送信する配布ファイル送信手段と、を備えることを特徴とする地図サーバ装置である。
【００１１】
請求項５の発明は、属性情報を含む地図ファイルを利用して、配布ファイルを作成して、これを利用者携帯端末装置に配布する電子地図配布方法であって、サービス開始要求を受け付けて、提供可能な地図ファイルの属性情報を取得して、表示する地図選択画面表示ステップと、表示された属性情報の中から選択された属性情報を受け付ける選択属性受付ステップと、前記選択された属性情報をキーにして、地図ファイルの属性情報を参照して、前記キーと一致する属性情報の地図ファイルを選択する地図ファイル選択ステップと、選択された地図ファイルから配布ファイルを作成して、配布する配布ファイル作成ステップと、を含んだ手順でなされることを特徴とする電子地図配布方法である。
【００１２】
請求項６の発明は、地図分類情報と地図名称情報を有する属性情報とファイル容量情報とを含む地図ファイルを利用して、配布ファイルを作成して、これを利用者携帯端末装置に配布する電子地図配布方法であって、選択された地図ファイルのファイル容量情報を表示するファイル容量情報表示ステップと、配布ファイル配布要求を発行する配布ファイル送信要求ステップと、を含んだ手順でなされて、前記配布ファイル作成ステップが、配布ファイル配布要求を受け付けて、選択された地図ファイルから配布ファイルを作成して、配布する、ことを特徴とする請求項５に記載の電子地図配布方法である。
【００１３】
請求項７の発明は、コンピュータに組込むことによって、コンピュータを請求項１または、請求項２に記載の電子地図配布システム、または、請求項３に記載の地図選択装置、または、請求項４に記載の地図サーバ装置として動作させるコンピュータプログラムである。
【００１４】
請求項８の発明は、請求項７に記載のコンピュータプログラムを記録したコンピュータ読取り可能な記録媒体である。
【発明の効果】
【００１５】
本願発明によれば、携帯端末装置に保存された地図情報を利用して、通信費用を発生させずに、何回でも地図画像を表示させることが可能となる。従って、地図利用時には、回線を使用しないので、通信回線の混雑による回答の遅延や、送受信圏外の不通による利用停止を避けることができる。
【発明を実施するための最良の形態】
【００１６】
（実施例）
以下、図面等を参照しながら、本発明の実施の形態について、更に詳しく説明する。図１は、電子地図配布システム１の概要を説明する図である。電子地図配布システム１は、地図サーバ装置３００と地図選択装置１００と利用者携帯端末装置５００とが、ネットワーク接続９００されて構成される。地図サーバ装置３００は、地図ファイル３９１と、配布ファイル３９９と、を備える。地図選択装置１００は、配布ファイル３９９と、を備える。利用者携帯端末装置５００は、配布ファイル３９９を備える。
【００１７】
ここで、地図ファイル３９１とは、属性情報（たとえば、「地図分類情報＝1/50000地図」と「地図名称情報＝新宿区」とを組み合わせた情報）と、地図ファイルの容量情報と、地図データと、から構成される。
【００１８】
なお、地図選択装置１００とは、コンビニエンスストアに設置されている情報端末装置や、ネットワークに接続されるパソコンでよい。また、利用者携帯端末装置５００とは、たとえば、ＧＰＳ機能を備えた携帯電話やＰＤＡである。
【００１９】
図２は、電子地図配布システム１の大まかな処理の流れを説明する。地図選択装置１００（コンビニの情報端末装置やパソコン）は、サービス開始要求（たとえば、地図利用者９５０による地図選択画面を表示させる指示）を受け付けて、地図サーバ装置３００に接続する（図２（ア））。地図サーバ装置３００は、提供可能な地図ファイル３９１の属性情報（たとえば、地図分類や地図地名など。）を、地図選択装置１００に送信する（同（イ））。
【００２０】
地図サーバ装置３００は、地図ファイル３９１の属性情報を受信して、この地図の属性情報を地図選択画面１９９に表示する（同（ウ））。
【００２１】
地図選択装置１００は、利用者９５０が選択した地図の属性情報を、受け付けて、この選択された属性情報を送信する（同（カ））。地図サーバ装置３００は、選択された属性情報を受け付けて、この選択された属性情報を持つ地図ファイル３９１のファイル容量値を返信する（同（キ））。地図選択装置１００は、地図サーバ装置３００からファイル容量値を受信して、これを表示する（同（ク））。
【００２２】
次に、配布ファイル３９９を利用者携帯端末装置５００に配布する手順を説明する。
【００２３】
地図選択装置１００は、地図利用者９５０による「確認ＯＫ」の入力を受け付けて、これを送信する（同（サ））。このときに、地図利用料金を一緒に決済しても良い。
地図サーバ装置３００は、地図選択装置１００から「確認ＯＫ」を受信して、選択された地図ファイル３９１から、配布ファイル３９９を作成して、送信する（同（シ））。地図選択装置１００は、配布ファイル３９９を受信して、メモリに一次保存する（同（ス））。
【００２４】
地図選択装置１００は、配布ファイル受信要求を発行する（同（タ））。利用者携帯端末装置５００は、配布ファイル受信要求を受け付けて、「受信準備ＯＫ」を返信する（同（チ））。地図選択装置１００は、「受信準備ＯＫ」を受信して、一次保存した配布ファイル３９９を利用者携帯端末装置５００に転送する（同（ツ））。利用者携帯端末装置５００は、配布ファイル３９９を受信して、内臓のメモリカードに保存する（同（テ））。
【００２５】
ここで、地図選択装置１００は、配布ファイル３９９を受信して、メモリカードに保存して、このメモリカードを、利用者携帯端末装置５００に、渡してもよい。
【００２６】
次に、利用者携帯端末装置５００に配布された地図ファイル３９１（配布ファイル３９９）の利用方法の手順を説明する。利用者携帯端末装置５００は、ＧＰＳ衛星９１０から、電波を受信して、現在位置を算出して、保存している配布ファイル３９９から現在位置の地図画像を作成して表示する（同（ナ））。
【００２７】
このとき、利用者携帯端末装置５００は、利用者携帯端末装置５００の中に保存している配布ファイル３９９を使用するので、地図を表示するために、地図サーバ装置３００と、通信する必要がない。
【００２８】
図３は、電子地図配布システム１の詳細な構成図である。地図サーバ装置３００は、属性情報返信手段３１０と、選択属性受信手段３３０と、地図ファイル選択手段３４０と、ファイル容量情報送信手段３５０と、配布ファイル送信手段３６０と、記憶手段３９０と、を備える。記憶手段３９０は、地図ファイル３９１と、配布ファイル３９９と、を記憶する。
【００２９】
地図ファイル３９１は、地図分類情報や地図名称情報を含む属性情報と、ファイル容量情報と、地図データ（たとえば、道路図形データや、地図画像データや、位置座標データなど。）と、を含むデータである。
【００３０】
属性情報返信手段３１０は、サービス開始要求を受け付けて、提供可能な地図ファイル３９１の属性情報を返信する。選択属性受信手段３３０は、受け付けられた属性情報を、受信する。地図ファイル選択手段３４０は、前記受け付けられた属性情報を取得して、これをキーとして、地図ファイル３９１の属性情報を参照して、前記キーと一致する属性情報の地図ファイル３９１を選択する。ファイル容量情報送信手段３５０は、前記選択された地図ファイル３９１のファイル容量情報を取得して、送信する。配布ファイル送信手段３６０は、配布ファイル送信要求を受け付けて、前記選択された地図ファイル３９１から配布ファイル３９９を作成して送信する。
【００３１】
地図選択装置１００は、地図選択画面表示手段１１０と、選択属性受付手段１２０と、選択属性送信手段１３０と、地図選択画面表示手段１１０と、配布ファイル受信手段１６０と、記憶手段１９０を備える。記憶手段１９０は、配布ファイル３９９と、を記憶する。
【００３２】
地図選択画面表示手段１１０は、サービス開始要求を送信して、地図ファイル３９１の属性情報を受信して、表示する。また、地図選択画面表示手段１１０は、選択された地図ファイル３９１のファイル容量情報を受信して、表示する。
【００３３】
選択属性受付手段１２０は、表示された地図ファイル３９１の属性情報の中から、選択された属性情報を受け付ける。選択属性送信手段１３０は、前記選択された属性情報を取得して、送信する。配布ファイル受信手段１６０は、配布ファイル送信要求を発行して、配布ファイル３９９を受信して、前記利用者携帯端末装置に転送する。
【００３４】
利用者携帯端末装置５００は、配布ファイル保存手段５６０と、ＧＰＳ手段５７０と、地図表示手段５８０と、記憶手段５９０と、を備える。記憶手段５９０は、配布ファイル３９９を記憶する。
【００３５】
配布ファイル保存手段５６０は、配布ファイル３９９を受信して、これを保存する。ＧＰＳ手段５７０は、ＧＰＳ信号を受信して、位置情報（緯度と経度、また、必要に応じて高度を含む。）を算出する。地図表示手段５８０は、算出した位置情報を取得して、配布ファイル３９９を用いて、算出した位置を含んだ地図画像を作成して、表示する。
【００３６】
属性情報返信手段３１０と、選択属性受信手段３３０と、地図ファイル選択手段３４０と、ファイル容量情報送信手段３５０と、配布ファイル送信手段３６０と、記憶手段３９０と、地図選択画面表示手段１１０と、選択属性受付手段１２０と、選択属性送信手段１３０と、地図選択画面表示手段１１０と、配布ファイル受信手段１６０と、配布ファイル保存手段５６０と、ＧＰＳ手段５７０と、地図表示手段５８０と、は、コンピュータプログラムである。地図ファイル３９１と、配布ファイル３９９と、は、コンピュータプログラムが可読なデータである。記憶手段３９０と、記憶手段１９０と、記憶手段５９０と、は、メモリである。
【００３７】
図４は、地図ファイルの構造と例である。地図ファイル３９１は、地図分類３９１ａと地図名称３９１ｂとを有する属性情報と、ファイル容量情報３９１ｃと、地図データ３９１ｄと、を含んで構成される。地図分類３９１ａは、地図ファイルの分類や種類を指定する。地図名称３９１ｂは、地図に付けられた名称である。地図ファイルのファイル容量情報３９１ｃは、地図ファイル容量値である。地図データ３９１ｄは、地図分類３９１ａに応じて異なる型（図形データ、画像データ、テキストデータなど。）のデータである。(詳細は後述する。)
【００３８】
図５は、地図ファイルの例である。図５には、「地図分類＝道路情報」３９１ａと、「地図名称＝新宿区」３９１ｂ、「ファイル容量情報＝500KB」３９１ｃと、「地図データ＝新宿区の道路図形データ」３９１ｄや、「地図分類＝1/50000地図」３９２ａ、「地図名称＝新宿区」３９１ｂ、「ファイル容量情報＝3MB」３９１ｃと、「地図データ＝新宿区の1/50000地図画像データ」３９１ｄや、「地図分類＝オプション」３９１ａと、「地図名称＝キャンペーン情報」３９１ｂ、「ファイル容量情報＝20KB」３９１ｃと、「地図データ＝キャンペーン内容、キャンペーン開催地の位置座標データ」３９１ｄや、「地図分類＝ランドマーク」３９１ａと、「地図名称＝コンビニ」３９１ｂ、「ファイル容量情報＝15KB」３９１ｃと、「地図データ＝店舗名、コンビニの位置座標データ」３９１ｄなどが、例示されている。
【００３９】
図６は、地図選択画面の初期状態の例である。地図選択画面１１０ａには、メニュー項目として、「□  目標のデータ容量」と、「□  地域」と、「□  縮尺」と、「□  オプション」と、「□  ランドマーク」と、「現在のデータ容量」表示欄と、が表示されている。各メニュー項目を選択すると、それぞれ、の選択画面が表示される。（詳細は後述する。）「現在のデータ容量」表示欄は、選択した地図データの累積容量が表示される。
【００４０】
図７は、各種の設定画面の説明図である。地図選択画面の各メニュー項目を選択したときの設定画面が例示されている。
【００４１】
容量設定画面１１０ｂでは、目標のデータ容量を設定する。目標のデータ容量とは、選択した地図ファイル容量値の合計である。目標のデータ容量の設定値は、地図利用者９５０が、「128MB、256MB(デフォルト値）、 512MB、 1024MB、その他（任意設定）」から選択して、これを表示する。このとき、「その他（任意設定）」が選択されたときには、入力された値を表示する（図６（ａ））。
【００４２】
縮尺設定画面１１０ｃでは、地図の縮尺を設定する。地図縮尺の設定値は、「広域（1/50000）、標準( 1/10000）、詳細(1/3000）、部分拡大（1/1000）」が表示される。例示の「標準(1/10000）)には、選択のデフォルトが設定されている（同（ｂ））。
【００４３】
オプション設定画面１１０ｄは、「地図分類＝オプション」３９１ａの地図名称３９１ｂを表示する。オプション設定画面１１０ｄでは、表示されているオプションの地図名称３９１ｂを選択する。オプションの地図名称３９１ｂには、たとえば、有料道路、抜け道情報、駅周辺拡大地図、キャンペーン情報などがある（同（ｃ）)。
【００４４】
ランドマーク設定画面１１０ｅは、「地図分類＝ランドマーク」３９１ａの地図名称３９１ｂを表示する。ランドマーク設定画面１１０ｅでは、表示されているランドマークの地図名称３９１ｂを選択する。ランドマークの地図名称３９１ｂには、たとえば、駐車場、ＧＳ、コンビニ、観光名所、レストラン、官公庁、高速出入口などがある。例示の「駐車場・ＧＳ・コンビニ」には、選択のデフォルトが設定されている（同（ｄ）)。
【００４５】
図８は、地図を選択した結果を表示した地図選択画面の例である。地図選択画面１１０ｆには、地図利用者９５０が、各種の設定画面１１０ｂ／ｃ／ｄ／ｅを用いて選択した結果が、表示されている。地図選択画面１１０ｆには、「□  目標のデータ容量＝256MB」、「□  地域＝ △◇区」、「□  縮尺＝  標準(1/10000）」、「□  オプション＝  ▽○駅周辺拡大地図」、「□  ランドマーク＝  駐車場  ＧＳ  コンビニ」、「現在のデータ容量：    240ＭＢ」、そして、「購入」ボタンが表示されている。
【００４６】
ちなみに、地図利用者９５０が選択したものは、目標のデータ容量には、「256MB」を選択して、地域には、「△◇区」を選択して、縮尺には、「標準(1/10000）)を選択して、オプションには、「▽○駅周辺拡大地図」を選択して、ランドマークには、「駐車場  ＧＳ  コンビニ」を選択した。これらの地図を選択した結果、データ容量は、240ＭＢであることを示している。
【００４７】
図９および図１０は、配布ファイル作成処理手順を説明する。図９において、まず、地名を選択するための処理手順を説明する。
（１）地図利用者９５０は、地図選択画面の表示を指示する。（ステップＳ０１）
（２）地図選択装置１００は、初期状態の地図選択画面１１０ａを表示する。（ステップＳ０２）
（３）地図利用者９５０は、 メニュー「目標のデータ容量」を選択する。（ステップＳ０３）
（４）地図選択装置１００は、容量設定画面１１０ｂを表示する。（ステップＳ０４）
（５）利用者９５０は、メニューから地図ファイル３９１のデータ目標容量値を選択する。（ステップＳ０５）
（６）地図選択装置１００は、地図選択画面１１０ｆに目標容量を表示する。（ステップＳ０６）
（７）地図利用者９５０は、目標容量を表示した地図選択画面１１０ｆのメニューから、「地域」を選択する。（ステップＳ１０）
（８）地図選択装置１００は、「地図分類＝道路情報」の地図名称の送信要求を発行する。地図サーバ装置３００は、「地図分類＝道路情報」の地図名称の送信要求を受け付けて、地図ファイル３９１から、「地図分類＝道路情報」の地図名称を取得して、返信する。地図選択装置１００は、地図名称を受信して、「地域設定画面」の地図名称メニューに表示する。（ステップＳ１１）
（９）利用者９５０は、「地域設定画面」の地図名称メニューから、地域名を選択する。（ステップＳ１３）
（１０）地図選択装置１００は、選択された地域名を送信する。（ステップＳ１４）
（１１）地図サーバ装置３００は、選択された地域名を受信して、地図ファイル３９１を参照して、この地域名とデフォルトの縮尺値とから成る地図情報に関連付けられた地図ファイル３９１を、選択する。（ステップＳ１５）
（１２）地図サーバ装置３００は、選択した地図ファイル３９１のデータ容量値を取得して、送信する。（ステップＳ１６）
（１３）地図選択装置１００は、データ容量値を受信して、これを、地図選択画面１１０ｆに、予想容量として表示する。（ステップＳ１７）
【００４８】
次に、地図の縮尺値（たとえば、1/50000,1/10000,1/3000,1/1000など。）を選択する処理手順を説明する。
（１）地図選択装置１００は、予想容量を表示した地図選択画面１１０ｆを保持する。（ステップＳ２０）
（２）地図利用者９５０は、予想容量を表示した地図選択画面１１０ｆのメニューから、「縮尺」を選択する。（ステップＳ２１）
（３）地図選択装置１００は、縮尺設定画面１１０ｃを表示する。（ステップＳ２２）
（４）地図利用者９５０は、縮尺設定画面１１０ｃのメニューから、縮尺値を選択する。（ステップＳ２３）
（５）地図選択装置１００は、選択された縮尺値と選択した地域名を含んだ属性情報を作成して、送信する。（ステップＳ２４）
（６）地図サーバ装置３００は、選択した縮尺値と選択した地域名を含んだ属性情報を受信して、これをキーにして、地図ファイル３９１の属性情報を参照して、前記キーと一致した属性情報の地図ファイル３９１を、選択する。（ステップＳ２５）
（７）地図サーバ装置３００は、選択した地図ファイル３９１のデータ容量値を取得して、送信する。（ステップＳ２６）
（８）地図選択装置１００は、データ容量値を受信して、既に受信したデータ容量値との累積値を算出して、地図選択画面１１０ｆに、予想容量として、表示する。（ステップＳ２７）
【００４９】
次に、オプション地図を選択する処理手順を説明する。
（１）地図選択装置１００は、予想容量を表示した地図選択画面１１０ｆを保持する。（ステップＳ３０）
（２）地図利用者９５０は、予想容量を表示した地図選択画面１１０ｆのメニューから、「オプション」を選択する。（ステップＳ３１）
（３）地図選択装置１００は、「地図分類＝オプション」の地図名称の送信要求を発行する。地図サーバ装置３００は、「地図分類＝オプション」の地図名称の送信要求を受け付けて、地図ファイル３９１の地図分類欄を参照して、「地図分類＝オプション」の地図名称を取得して、返信する。地図選択装置１００は、地図名称を受信して、オプション設定画面１１０ｄのオプション情報メニューに表示する。（ステップＳ３２）
（４）地図利用者９５０は、オプション設定画面１１０ｄのオプション情報メニューから、オプション情報（たとえば、駅周辺拡大地図）を選択する。（ステップＳ３３）
（５）地図選択装置１００は、選択されたオプション情報を含んだ属性情報を作成して、送信する。（ステップＳ３４）
（６）地図サーバ装置３００は、選択されたオプション情報を含んだ属性情報を受信して、これをキーにして、地図ファイル３９１の属性情報を参照して、前記キーと一致した属性情報の地図ファイル３９１を選択する。（ステップＳ３５）
（７）地図サーバ装置３００は、選択された地図ファイル３９１のデータ容量値を取得して、送信する。（ステップＳ３６）
（８）地図選択装置１００は、 データ容量値を受信して、既に受信したデータ容量値との累積値を算出して、地図選択画面１１０ｆに、予想容量として、表示する。（ステップＳ３７）
【００５０】
図１０は、図９からの続きの処理手順である。まず、ランドマークを選択する処理手順を説明する。
（１）地図選択装置１００は、予想容量を表示した地図選択画面１１０ｆを保持する。（ステップＳ５０）
（２）地図利用者９５０は、予想容量を表示した地図選択画面１１０ｆのメニューから、「ランドマーク」を選択する。（ステップＳ５１）
（３）地図選択装置１００は、「地図分類＝ランドマーク」の地図名称の送信要求を発行する。
地図サーバ装置３００は、「地図分類＝ランドマーク」の地図名称の送信要求を受け付けて、地図ファイル３９１の地図分類欄を参照して、「地図分類＝ランドマーク」の地図名称を取得して、返信する。地図選択装置１００は、地図名称を受信して、ランドマーク設定画面１１０ｅのンドマーク情報メニューに表示する。（ステップＳ５２）
（４）地図利用者９５０は、ランドマーク設定画面１１０ｅのメニューから、ランドマーク情報（たとえば、官公庁）を選択する。（ステップＳ５３）
（５）地図選択装置１００は、選択されたランドマーク情報を含んだ属性情報を作成して、送信する。（ステップＳ５４）
（６）地図サーバ装置３００は、選択されたランドマーク情報を含んだ属性情報を受信して、これをキーにして、地図ファイル３９１の属性情報を参照して、前記キーと一致した属性情報の地図ファイル３９１を選択する。（ステップＳ５５）
（７）地図サーバ装置３００は、選択された地図ファイル３９１のデータ容量値を取得して、送信する。（ステップＳ５６）
（８）地図選択装置１００は、データ容量値を受信して、既に受信したデータ容量値との累積値を算出して、地図選択画面１１０ｆに、予想容量として、表示する。（ステップＳ５７）
【００５１】
最後に、配布ファイル３９９を、利用者端末装置５００（たとえば、携帯電話）に、ダウンロードする処理手順を説明する。
（１）地図選択装置１００は、予想容量を表示した地図選択画面１１０ｆを保持する。（ステップＳ７０）
（２）地図利用者９５０は、予想容量を表示した地図選択画面１１０ｆのメニューから、「購入」を選択する。（ステップＳ７１）
（３）地図選択装置１００は、全選択結果（たとえば、地名と縮尺、オプション情報、ランドマーク情報など。）を表示する。（ステップＳ７２）
（４）地図利用者９５０は、選択結果確認ＯＫ情報を入力する。（ステップＳ７３）
（５）地図選択装置１００は、配布ファイル送信要求を送信する。（ステップＳ７４）
（６）地図サーバ装置３００は、配布ファイル送信要求を受け付けて、選択した地図ファイル３９１から配布ファイル３９９を作成して、ダウンロード確認要求を送信する。（ステップＳ７５）
（７）地図選択装置１００は、ダウンロード確認要求を受け付けて、ダウンロード確認画面を表示する。（ステップＳ８１）
（８）地図利用者９５０は、ダウンロード確認ＯＫ情報を入力する。（ステップＳ８２）
（９）地図選択装置１００は、ダウンロード確認ＯＫ情報を送信する。（ステップＳ８３）
（１０）地図サーバ装置３００は、ダウンロード確認ＯＫ情報を受け付けて、配布ファイル３９９を送信する。（ステップＳ８４）
（１１）地図選択装置１００は、配布ファイル３９９を受信して、これを、携帯電話５００に、ダウンロードする。（ステップＳ８５）
【００５２】
なお、縮尺設定画面３１０ｃや、オプション設定画面３１０ｄや、ランドマーク設定画面３１０ｅなどの各設定画面の選択する順序は、任意である。
【００５３】
以上詳しく説明したように、本願発明によれば、携帯端末装置に保存された地図情報を利用して、通信費用を発生させずに、何回でも地図画像を表示させることが可能となった。また、この地図を利用する時には、通信回線を使用しないので、通信回線の混雑による回答の遅延や、送受信圏外の不通による利用停止を避けることができた。
【図面の簡単な説明】
【００５４】
【図１】電子地図配布システムの全体構成
【図２】電子地図配布システムの大まかな処理の流れ
【図３】電子地図配布システムの詳細な構成図
【図４】地図ファイルの構造
【図５】地図ファイルの例
【図６】地図選択画面の初期状態の例
【図７】各種の設定画面の例
【図８】地図選択画面の例
【図９】配布ファイル作成処理手順の説明図（図１０に続く）
【図１０】配布ファイル作成処理手順の説明図（図９から続く）
【符号の説明】
【００５５】
１  電子地図配布システム
１００  地図選択装置
１１０  地図選択画面表示手段
１１０ａ  初期状態の地図選択画面
１１０ｂ  容量設定画面
１１０ｃ  縮尺設定画面
１１０ｄ  オプション設定画面
１１０ｅ  ランドマーク設定画面
１１０ｆ  選択結果を表示した地図選択画面
１３０  選択属性送信手段
１５０  ファイル容量情報表示手段
１６０  配布ファイル受信手段
１９０  記憶手段
３００  地図サーバ装置
３１０  属性情報返信手段
３３０  選択属性受信手段
３４０  地図ファイル選択手段
３５０  ファイル容量情報送信手段
３６０  配布ファイル送信手段
３９０  記憶手段
３９１  地図ファイル
３９１ａ  地図分類
３９１ｂ  地図名称
３９１ｃ  ファイル容量情報
３９１ｄ  地図データ
３９９  配布ファイル
５００  利用者携帯端末装置
９００  ネットワーク接続
９５０  地図利用者
【図１】
2007212736.tif 000003
【図２】
2007212736.tif 000004
【図３】
2007212736.tif 000005
【図４】
2007212736.tif 000006
【図５】
2007212736.tif 000007
【図６】
2007212736.tif 000008
【図７】
2007212736.tif 000009
【図８】
2007212736.tif 000010
【図９】
2007212736.tif 000011
【図１０】
2007212736.tif 000012